(57)【要約】【課題】 スリンガーを使用しなくても、十分な密封効果を有している密封転がり軸受を提供する。【解決手段】  密封転がり軸受1は、外輪2、内輪3、これらの間に配置された複数の玉4、および両輪2,3端部間に配されたシール6を備えている。外輪に、内輪外径に対向するリップ部7を有するシール6が設けられている。内輪2には、シール6のリップ部7を受ける樹脂製のリップ受け部材8が設けられている。リップ受け部材8は、同部材8とリップ部7との間を軸方向外方からカバーしてラビリンスシールを形成するフランジ部15を有している【選択図】    図１
2005163892.tif 000002
【特許請求の範囲】
【請求項１】
外輪、内輪、両輪間に配置された転動体、および両輪端部間に配されたシールを備えている密封転がり軸受において、外輪内径および内輪外径のいずれか一方に、同他方に対向するリップ部を有するシールが設けられるとともに、同他方に、リップ部を受ける樹脂製のリップ受け部材が設けられ、リップ受け部材は、同部材とリップ部との間を軸方向外方からカバーしてラビリンスシールを形成するフランジ部を有していることを特徴とする密封転がり軸受。
【請求項２】
シールのリップ受け部材に対向する面およびリップ受け部材のシールに対向する面に、ラビリンスシールを形成するための凸部または凹部が設けられている請求項１の密封転がり軸受。
【発明の詳細な説明】
【技術分野】
【０００１】
この発明は、密封転がり軸受に関する。
【背景技術】
【０００２】
従来の密封転がり軸受(31)は、図３に示すように、外輪(32)、内輪(33)、両輪(32)(33)間に配置された転動体(34)、転動体(34)を保持する保持器(35)、および両輪(32)(33)端部間に配されたシール(36)とを備えている。この密封転がり軸受(31)は、スリンガー(37)とともに回転軸に取り付けられ、これにより、密封転がり軸受(31)とは別部材とされたスリンガー(37)と密封転がり軸受(31)のシール(36)とによって、転がり軸受の密封装置が構成されている（特許文献１参照）。
【特許文献１】特開平１０−２６１４３号公報
【発明の開示】
【発明が解決しようとする課題】
【０００３】
上記密封転がり軸受は、単独では、その密封効果が十分でないことから、ラビリンスシールを形成するためのスリンガーとともに使用されているが、スリンガーを回転軸に取り付けるには手間がかかるため、スリンガーを使用しなくても、十分な密封効果を有している密封転がり軸受が望まれている。
【０００４】
この発明の目的は、スリンガーを使用しなくても、十分な密封効果を有している密封転がり軸受を提供することにある。
【課題を解決するための手段】
【０００５】
この発明による密封転がり軸受は、外輪、内輪、両輪間に配置された転動体、および両輪端部間に配されたシールを備えている密封転がり軸受において、外輪内径および内輪外径のいずれか一方に、同他方に対向するリップ部を有するシールが設けられるとともに、同他方に、リップ部を受ける樹脂製のリップ受け部材が設けられ、リップ受け部材は、同部材とリップ部との間を軸方向外方からカバーしてラビリンスシールを形成するフランジ部を有していることを特徴とするものである。
【０００６】
リップ受け部材は、例えば、円筒部およびフランジ部からなるものとされ、円筒部が内輪または外輪に固定される。フランジ部の高さは、リップ受け部材とリップ部との間の間隙の高さよりも大きい値であればよい。このようにすることにより、リップ受け部材とリップ部との間からの異物や水等の侵入が防止される。リップ受け部材を形成する樹脂は、特に限定されるものではなく、アクリル樹脂、ポリアミド樹脂、ポリアセタール樹脂、フェノール樹脂、その他の合成樹脂が適宜使用される。リップ受け部材を内輪または外輪に固定するには、圧入、接着などの適宜な方法が用いられる。
【０００７】
シールは、ゴム等の環状の弾性体に環状の芯金が埋設されたもので、例えば、リップ受け部材の円筒部外周に所定の間隙をおいて径方向から対向する主リップ、回転輪に所定の間隙をおいて対向する副リップなどを有しているものとされる。
【０００８】
シールのリップ受け部材に対向する面およびリップ受け部材のシールに対向する面に、ラビリンスシールを形成するための凸部または凹部が設けられていることがある。リップ受け部材は、樹脂製であるので、凹凸を形成することが容易であり、ゴムシールおよびリップ受け部材に凹凸を形成することにより、ラビリンス効果が増大し、より一層シール性を向上させることができる。
【発明の効果】
【０００９】
この発明の密封転がり軸受によると、シールのリップ部を受ける樹脂製のリップ受け部材が設けられ、リップ受け部材は、同部材とリップ部との間を軸方向外方からカバーするフランジ部を有しているので、従来の密封転がり軸受では必要であったスリンガーを省略することができる。しかも、リップ部を受ける部分が金属製の内輪でなく樹脂製のリップ受け部材となるので、シールの耐摩耗性が向上する。
【発明を実施するための最良の形態】
【００１０】
この発明の実施の形態を、以下図面を参照して説明する。
【００１１】
図１は、この発明の密封転がり軸受の第１実施形態を示している。以下の説明において、左右とは、図の左右をいうものとする。
【００１２】
密封転がり軸受(1)は、外輪(2)、内輪(3)、両輪(2)(3)間に配置された転動体(4)、転動体(4)を保持する保持器(5)、外輪(2)の左右端部に取り付けられてそのリップ部(7)が内輪(3)の外周に臨まされたシール(6)、および内輪(3)に取り付けられてシール(6)のリップ部(7)を受けるリップ受け部材(8)を備えている。
【００１３】
内輪(1)は、例えば、回転軸に固定され、外輪(2)は、ケーシングなどに支持される。内輪(1)、外輪(2)および転動体(4)は、ＳＵＪなどの金属製であり、保持器(5)は、樹脂製とされている。
【００１４】
シール(6)は、ゴム等の環状の弾性体(11)に環状の芯金(12)が埋設されたもので、その外周縁部が、外輪(2)の肩部内径に設けられた環状溝(13)に嵌め入れられて固定されている。
【００１５】
リップ受け部材(8)は、樹脂製で、内輪への取付け部としての円筒部(14)および円筒部(14)の軸方向外側の端部から外径方向にのびるフランジ部(15)からなり、その円筒部(14)が内輪(3)の肩部内径に設けられた環状溝(16)に嵌め入れられて固定されている。フランジ部(15)は、円筒部(14)とシール(6)のリップ部(7)との間を軸方向外方からカバーしており、これにより、ラビリンスシールが形成されている。シール(6)の外端の内縁を基準とするフランジ部(15)の高さがラビリンスシール幅となっており、この値は、０より大きい値、例えば１〜５ｍｍとされている。内輪(3)の環状溝(16)には、リップ受け部材(8)が軸方向外方に抜けにくいようにするための段部(16a)が設けられており、リップ受け部材(8)の円筒部(14)にも、この段部(16a)に対応する段部が設けられている。リップ受け部材(8)の円筒部(14)外周には、さらに、環状の突起(14a)が形成されている。
【００１６】
シール(6)のリップ部(7)は、リップ受け部材(8)の円筒部(14)外周に所定の間隙をおいて径方向から対向する主リップ(7a)と、内輪(3)の環状溝(16)の開口縁部に所定の間隙をおいて対向する副リップ(7b)とを有している。
【００１７】
図２は、この発明の密封転がり軸受の第２実施形態を示している。この密封転がり軸受は、第１実施形態のものとシールおよびリップ受け部材が異なっており、以下の説明において、第１実施形態と同じ構成には同じ符号を付してその説明を省略する。
【００１８】
この密封転がり軸受(21)は、外輪(2)、内輪(3)、両輪(2)(3)間に配置された転動体(4)、転動体(4)を保持する保持器(5)、外輪(2)の左右端部に取り付けられてそのリップ部(23)が内輪(3)の外周に臨まされたシール(22)、および内輪(3)に取り付けられてシール(22)のリップ部(23)を受けるリップ受け部材(24)を備えている。
【００１９】
シール(22)は、ゴム等の環状の弾性体(25)に環状の芯金(26)が埋設されたもので、その外周縁部が、外輪(2)の肩部内径に設けられた環状溝(13)に嵌め入れられて固定されている。
【００２０】
リップ受け部材(24)は、樹脂製で、内輪への取付け部としての円筒部(27)および円筒部(27)の軸方向外側の端部から外径方向にのびるフランジ部(28)からなり、その円筒部(27)が内輪(3)の肩部内径に設けられた環状溝(16)に嵌め入れられて固定されている。フランジ部(28)は、円筒部(27)とシール(22)のリップ部(23)との間を軸方向外方からカバーしており、これにより、第１のラビリンスシールが形成されている。
【００２１】
シール(22)の軸方向外面側には、環状の凹部(29)が設けられており、リップ受け部材(8)のフランジ部(28)の軸方向内面側には、環状の凹部(29)に対向しかつ先端が凹部(29)内にある環状の凸部(30)が設けられている。凹部(29)の径方向外側の縁を基準とするリップ受け部材(24)のフランジ部(28)の高さが第１のラビリンスシールのラビリンスシール幅となっており、この値は、０より大きい値、例えば１〜５ｍｍとされている。凹部(29)の径方向内側の縁を形成している突出縁部(31)の厚み部分によって第２のラビリンスシールが形成されており、上記第１のラビリンスシールと相まってラビリンスシール性がより一層向上されている。
【００２２】
第２実施形態のシール(22)の凹部(29)およびリップ受け部材(8)のフランジ部(28)の凸部(30)は、シール(22)がゴム製で、リップ受け部材(8)が樹脂製であるので、これらの凹部(29)および凸部(30)を容易に形成することができ、また、その形状も種々のものに容易に変更することができる。
【００２３】
なお、上記各実施形態において、各シール(6)(22)は、リップ受け部材(8)(24)に接触しない非接触シールとされているが、接触シールとしてもよい。
【図面の簡単な説明】
【００２４】
【図１】図１は、この発明による密封転がり軸受の第１実施形態を示す縦断面図である。
【図２】図２は、この発明による密封転がり軸受の第２実施形態を示す縦断面図である。
【図３】図３は、従来の密封転がり軸受を示す縦断面図である。
【符号の説明】
【００２５】
(1)         密封転がり軸受
(2)         外輪
(3)         内輪
(4)         転動体
(6)(22)     シール
(7)(23)     リップ部
(8)(24)     リップ受け部材
(15)(28)    フランジ部
(29)        凹部
(30)        凸部
【図１】
2005163892.tif 000003
【図２】
2005163892.tif 000004
【図３】
2005163892.tif 000005